(57)【要約】      （修正有）【課題】バッテリ端子の不正な変形を防ぎ、バッテリポストとの接続信頼性を確保できるバッテリ端子の提供。【解決手段】バッテリ本体ＢＴに設けられたバッテリポストＰに接続固定されるバッテリ端子１０であって、バッテリポストＰの外周に嵌合される金属製のポスト嵌合部１２と、ポスト嵌合部１２の前端部に左右方向に対向するようにして一体に設けられた一対の締付片１４と、一対の締付片１４に上方から組み付けられ、一対の締付片１４に設けられた水平部１６を互いに近づけるように左斜め上方および右斜め上方の左右方向両側から締め付けることにより、ポスト嵌合部１２をバッテリポストＰに密着させるブラケット３０と、一対の締付片１４における水平部１６を上下方向両側から支持する変形抑制部２４とを備えるバッテリ端子。【選択図】図６
2016100098.tif 000002
【特許請求の範囲】
【請求項１】
バッテリ本体に設けられたバッテリポストに接続固定されるバッテリ端子であって、
前記バッテリポストの外周に嵌合される金属製のポスト嵌合部と、
前記ポスト嵌合部の端部に対向するようにして一体に設けられた一対の締付部と、
前記一対の締付部に組み付けられ、前記一対の締付部を互いに対向する対向方向に近づけるように両側から締め付けることにより、前記ポスト嵌合部を前記バッテリポストに密着させる締付部材と、
前記一対の締付部を対向方向と直交する直交方向から支持する変形抑制部とを備えているバッテリ端子。
【請求項２】
前記一対の締付部は、それぞれが前記ポスト嵌合部の端部に水平となるように板状に延出して形成され、互いに隣り合う板面の端縁を対向させるようにして配されており、
前記変形抑制部は、前記一対の締付部の延出端部を包み込むように前記一対の締付部における前記直交方向の両側に配されている請求項１に記載のバッテリ端子。
【請求項３】
前記変形抑制部は、前記一対の締付部よりも剛性の高い金属によって形成されている請求項１または請求項２に記載のバッテリ端子。
【請求項４】
前記ポスト嵌合部の前記一対の締付部が設けられた端部とは異なる端部を保持固定し、前記バッテリ本体に載置されることで前記ポスト嵌合部を正規の姿勢に保持する台座部を有しており、
前記変形抑制部は、前記台座部に設けられている請求項１から請求項３の何れか一項に記載のバッテリ端子。
【請求項５】
前記締付部材は、前記一対の締付部と共に、締結ボルトと締結ナットによって挟持されることにより、前記一対の締付部を両側から締め付けるようになっており、
前記締結ボルトもしくは前記締結ナットの何れか一方が、前記変形抑制部に凹設された嵌合凹部に嵌合することで回り止めされている請求項１から請求項４の何れか一項に記載のバッテリ端子。
【請求項６】
前記嵌合凹部の内周形状は、前記締結ボルトもしくは前記締結ナットの嵌合される部分の外周形状と同一に形成されている請求項５に記載のバッテリ端子。
【発明の詳細な説明】
【技術分野】
【０００１】
本明細書によって開示される技術は、バッテリ端子に関する。
【背景技術】
【０００２】
例えば、車両などに搭載されるバッテリに設けられたバッテリポストに接続固定されるバッテリ端子として、特開２００２−１８４３８９号公報（下記特許文献１）が知られている。このバッテリ端子は、先端に左右一対の締付片を有してバッテリポストを挟持するターミナル本体と、左右一対の締付片を左右両側から締め付けてターミナル本体をバッテリポストに密着させるブラケットと、ブラケットを一対の締付片に締め付けるためのボルトおよびナットとを備えて構成されている。
【０００３】
ブラケットは、平板状の中央片の両側縁に立ち上がり形成された一対の側片を有する形態とされており、各側片には上方に向かうほど互いに離れる方向に傾斜する一対のテーパ面が左右方向に対向して形成されている。
一方、ターミナル本体の一対の締付片は、それぞれが略矩形の金属板における外側の端部を内側に向けて左右方向に折り返した略矩形状に形成されており、一対の締付片をブラケットの一対のテーパ面間に配し、ボルトとナットによりブラケットの中央片と一対の締付片とを上下から挟み付けて、一対のテーパ面によって一対の締付片における外側縁を左右両側から押圧することで、ターミナル本体をバッテリポストに密着させるようになっている。
【先行技術文献】
【特許文献】
【０００４】
【特許文献１】特開２００２−１８４３８９号公報
【発明の概要】
【発明が解決しようとする課題】
【０００５】
ところで、上記の構成によると、一対のテーパ面によって一対の締付片の外側縁を左右両側から押圧する際に、一対の締付片における互いに対向する内側縁部がテーパ面とは反対側である上側に開くようにして一対の締付片が不正に変形する虞がある。一対の締付片が不正に変形すると、ターミナル本体をバッテリポストに密着させることができず、バッテリポストに対するバッテリ端子の接続信頼性が低下してしまう。
【０００６】
本明細書では、バッテリ端子の不正な変形を防ぎ、バッテリポストとの接続信頼性を確保する技術を開示する。
【課題を解決するための手段】
【０００７】
本明細書によって開示される技術は、バッテリ本体に設けられたバッテリポストに接続固定されるバッテリ端子であって、前記バッテリポストの外周に嵌合される金属製のポスト嵌合部と、前記ポスト嵌合部の端部に対向するようにして一体に設けられた一対の締付部と、前記一対の締付部に組み付けられ、前記一対の締付部を互いに対向する対向方向に近づけるように両側から締め付けることにより、前記ポスト嵌合部を前記バッテリポストに密着させる締付部材と、前記一対の締付部を対向方向と直交する直交方向から支持する変形抑制部とを備えているところに特徴を有する。
【０００８】
このような構成のバッテリ端子によると、一対の締付部が締付部材によって両側から締め付けられる際に、一対の締付部が変形抑制部によって直交方向から支持されているから、一対の締付部が直交方向など不正な方向に変形することを抑制することができる。これにより、バッテリポストにポスト嵌合部を適切に密着させることができ、バッテリポストとバッテリ端子との接続信頼性を確保することができる。
【０００９】
本明細書によって開示される技術の態様として、以下の構成が好ましい。
前記一対の締付部は、それぞれが前記ポスト嵌合部の端部に水平となるように板状に延出して形成され、互いに隣り合う板面の端縁を対向させるようにして配されており、前記変形抑制部は、前記一対の締付部の延出端部を包み込むように前記一対の締付部における前記直交方向の両側に配されている構成としてもよい。
このような構成によると、平板状をなす一対の締付部を、直交方向両側から支持できるから、平板状をなす一対の締付部が不正な方向に変形することをさらに抑制することができる。
【００１０】
前記変形抑制部は、前記一対の締付部よりも剛性の高い金属によって形成されている構成としてもよい。
このような構成によると、剛性の高い変形抑制部によって一対の締付部が支持されるから、例えば、締付部と同一の金属によって形成された変形抑制部に比べて、締付部が不正な方向に変形することをさらに抑制することができる。
【００１１】
前記ポスト嵌合部の前記一対の締付部が設けられた端部とは異なる端部を保持固定し、前記バッテリ本体に載置されることで前記ポスト嵌合部を正規の姿勢に保持する台座部を有しており、前記変形抑制部は、前記台座部に設けられている構成としてもよい。
このような構成によると、ポスト嵌合部を正規の姿勢に保持する台座部に変形抑制部が設けられているから、例えば、台座部とは別体に設けられた変形抑制部を締付部に組み付ける場合に比べて、一対の締付部に対する変形抑制部の位置決め精度を高めつつ、一対の締付部を直交方向から確実に支持することができる。これにより、直交方向に対して傾いた方向から一対の締付部を支持することを防ぎ、一対の締付部が不正な方向に変形することを確実に抑制することができる。
【００１２】
前記締付部材は、前記一対の締付部と共に、締結ボルトと締結ナットによって挟持されることにより、前記一対の締付部を両側から締め付けるようになっており、前記締結ボルトもしくは前記締結ナットの何れか一方が、前記変形抑制部に凹設された嵌合凹部に嵌合することで回り止めされている構成としてもよい。
このような構成によると、変形抑制部に凹設した嵌合凹部に締結ボルトもしくは締結ナットの何れか一方を嵌合させることで回り止めすることができる。また、バッテリ端子に締結ボルトもしくは締結ナットを回り止めする回り止め部を別途設ける必要がないから、バッテリ端子が複雑化することを防ぐことができる。
【００１３】
前記嵌合凹部の内周形状は、前記締結ボルトもしくは前記締結ナットの嵌合される部分の外周形状と同一に形成されている構成としてもよい。
このような構成によると、嵌合凹部の内面全てにおいて締結ボルトもしくは締結ナットの回り止めを行うことができるから、嵌合凹部の一部に力が集中することに起因して変形抑制部が変形することを防ぐことができる。
【発明の効果】
【００１４】
本明細書によって開示される技術によれば、バッテリ端子の不正な変形を防ぎ、バッテリポストとの接続信頼性を確保する。
【図面の簡単な説明】
【００１５】
【図１】バッテリ端子の斜視図
【図２】同正面図
【図３】同平面図
【図４】同底面図
【図５】上下反転させたバッテリ端子の斜視図
【図６】バッテリポストにバッテリ端子を組み付けた状態を示す側面図
【図７】図２のＡ−Ａ線断面図
【図８】図６のＢ−Ｂ線断面図
【図９】ナットにボルトを締め込んだ状態を示す図８の断面に相当する断面図
【図１０】バッテリ端子の分解斜視図
【発明を実施するための形態】
【００１６】
＜実施形態＞
実施形態について図１から図１０を参照して説明する。
本実施形態は、図６に示すように、車両に搭載されるバッテリのバッテリ本体ＢＴに設けられた略円柱状のバッテリポストＰに接続固定されるバッテリ端子１０を例示している。なお、以下の説明において、上下方向とは図２における上下方向を基準とし、左右方向とは図２における左右方向を基準とする。また、前後方向とは図３および図６における左右方向を基準とし、図示左方を前方とし、図示右方を後方として説明する。
【００１７】
バッテリ端子１０は、図１および図６に示すように、バッテリポストＰに接続固定される端子本体１１と、端子本体１１を保持してポスト設置部ＢＴ１に載置される台座部２０と、端子本体１１に組み付けられるブラケット（「締付部材」の一例）３０とを備えて構成されている。
【００１８】
端子本体１１は、銅または銅合金等からなる金属板材をプレスなどで加工することにより、前後方向に延びる側面視クランク状に形成されており、バッテリポストＰの外周に嵌合するポスト嵌合部１２と、ポスト嵌合部１２の後端部に設けられた端子接続部１３と、ポスト嵌合部１２の前端部に左右に対向して設けられた一対の締付片（「締付部」の一例）１４とを有している。
【００１９】
ポスト嵌合部１２は、図１，図３から図５に示すように、ポスト装着孔１２Ａを有する平板の略環状に形成されており、ポスト嵌合部１２の前端部は、左右に分断されている。ポスト装着孔１２Ａは、ポスト嵌合部１２を板厚方向である上下方向に貫通して形成されており、ポスト装着孔１２Ａの内径寸法は、バッテリポストＰの外径寸法よりも僅かに大きく設定されている。
ポスト嵌合部１２は、ポスト装着孔１２Ａに下方からバッテリポストＰが挿通され、端子本体１１がバッテリポストＰに対して正規の位置に組み付けられると、バッテリポストＰの外周面に沿うようにして嵌合されるようになっている。
【００２０】
端子接続部１３は、図１，図６および図７に示すように、ポスト嵌合部１２の後端縁から下方に延びた後、その下端縁から後方に向けて略矩形平板状に延出された端子設置部１５を有する形態とされている。
端子設置部１５には、その上面に図示しない端子が設置されるようになっている。また、端子設置部１５には、上下方向に貫通する貫通孔１５Ａが設けられている。この貫通孔１５Ａには、スタッドボルトＳＢが下方から挿通され、図７に示すように、スタッドボルトＳＢの頭部ＳＢ１が端子設置部１５と後述する台座部２０の端子保持部２２とによって上下から挟み込まれることで、スタッドボルトＳＢが端子設置部１５と端子保持部２２とによって保持されるようになっている。
【００２１】
一対の締付片１４は、図１０に示すように、ポスト嵌合部１２の左右に分断された前端部から前方に向けてそれぞれ延出して形成されている。各締付片１４は、ポスト嵌合部１２の前縁に連設されており、ポスト嵌合部１２の前縁から水平となるように延出される略矩形平板状の水平部１６を有している。水平部１６における互いに隣り合う内側縁部１６Ａには、左右方向に円弧状に凹んだ逃がし凹部１７がそれぞれ形成されており、水平部１６における互いに反対側に配される外側縁には、図８から図１０に示すように、下方に向かうほど互いに離れるように斜め下方向に延びる一対の被押圧片１８が設けられている。一対の被押圧片１８は、何れも略矩形状に形成されており、これらの被押圧片１８には、上方からブラケット３０が組み付けられている。
【００２２】
ブラケット３０は、図８から図１０に示すように、端子本体１１よりも板厚寸法が厚い金属板材をプレスなどによって加工することによって形成されており、左右方向に横長な略矩形板状の基部３１と、基部３１の左右方向両側縁に設けられた一対の押圧部３２とを備えて構成されている。
基部３１には、板厚方向に貫通する挿通孔３１Ａが設けられており、基部３１は、図８から図１０に示すように、挿通孔３１Ａが一対の締付片１４の水平部１６における逃がし凹部１７間の領域と上下方向に揃うようにして水平部１６の上方に配されるようになっている。
【００２３】
一対の押圧部３２は、図８および図９に示すように、締付片１４の被押圧片１８とほぼ同じ角度となるようにして基部３１から下方に向けて互いに離れるように斜め下方向に延出されており、各押圧部３２は締付片１４の各被押圧片１８に沿うようにして上方から組み付けられるようになっている。また、各押圧部３２は、図１，図３，図５および図６に示すように、被押圧片１８の前後縁に沿って設けられた一対のガイド部１８Ａによって前後から支持されるようになっており、各押圧部３２がガイド部１８Ａによって前後から支持されることで、ブラケット３０が前後方向に傾かないようになっている。
【００２４】
また、基部３１には、図１，図８および図９に示すように、基部３１と一対の締付片１４における水平部１６とを上下方向両側から締め付ける締結ボルト４０および締結ナット４５が組み付けられている。
締結ボルト４０は、頭部４１から下方に延びる軸部４２を有する一般的な形状とされており、基部３１上に頭部４１を配し、基部３１の挿通孔３１Ａと水平部１６における逃がし凹部１７によって囲まれた領域とに軸部４２を上方から挿通させることで、締結ボルト４０がブラケット３０に組み付けられている。
【００２５】
締結ナット４５は、図１０に示すように、締結孔４６を有する扁平な四角ナットとされている。締結ナット４５は、図８に示すように、締結ボルト４０と共にブラケット３０の基部３１と一対の締付片１４の水平部１６とを上下方向両側から挟み込むようにして、締結ボルト４０の軸部４２に組み付けられている。また、締結ナット４５は、締結ボルト４０と共に、基部３１および水平部１６を締め付ける前の状態では、図８に示すように、締結ボルト４０が所定の位置まで螺合され、水平部１６の下面に接触した状態で保持されている。
【００２６】
また、締結ボルト４０を締結ナット４５に螺合させて締め付け、締結ボルト４０および締結ナット４５によってブラケット３０の基部３１と一対の締付片１４の水平部１６とを上下両側から挟み込むと、一対の締付片１４における被押圧片１８がブラケット３０の一対の押圧部３２によって左斜め上方および右斜め上方の左右両側から押圧されて締め付けられる。そして、被押圧片１８と押圧部３２とが摺動することで、一対の締付片１４の水平部１６が互いに近づくようにして対向する方向である内側に向かって変位する（図９を参照）。これに伴い、ポスト嵌合部１２のポスト装着孔１２Ａが縮径し、ポスト嵌合部１２がバッテリポストＰの外周面に密着することで、端子本体１１がバッテリポストＰに接続固定されるようになっている。
【００２７】
台座部２０は、端子本体１１よりも剛性の高いステンレス鋼板等からなる金属板材をプレスなどで加工することにより、図１０に示すように、前後に長い板状に形成されている。また、台座部２０は、バッテリポストＰの外周に嵌合されてポスト設置部ＢＴ１に載置される台座本体２１と、台座本体２１の後端部に連設された端子保持部２２と有している。
【００２８】
台座本体２１は、図４および図１０に示すように、ポスト挿通孔２１Ａを有する平板の環状に形成されている。ポスト挿通孔２１Ａは、台座本体２１を板厚方向である上下方向に貫通して形成されており、ポスト挿通孔２１Ａ内には、バッテリポストＰが下方から嵌合可能とされている。ポスト挿通孔２１ＡにバッテリポストＰを挿通し、台座本体２１をバッテリポストＰに嵌合させることで、図６に示すように、台座本体２１がポスト設置部ＢＴ１の上面に載置されるようになっている。
【００２９】
端子保持部２２は、図１０に示すように、台座本体２１の後端縁から後方に向けて略矩形平板状に延出された形態とされている。端子保持部２２は、端子本体１１の端子設置部１５が上方から組み付けられるようになっており、図５に示すように、端子設置部１５に設けられた一対の係止片１５Ｂが、端子保持部２２の左右方向両側縁に設けられた係止部２３に組み付け方向とは反対側から係止することで端子設置部１５が端子保持部２２に固定され、端子本体１１が台座部２０に保持されるようになっている。
したがって、端子本体１１と台座部２０とが互いに固定された状態となっているから、台座部２０の台座本体２１と端子本体１１のポスト嵌合部１２とをバッテリポストＰに対して嵌合させることで、バッテリ端子１０をバッテリポストＰに安定して組み付けることができるようになっている。
【００３０】
さて、台座部２０の台座本体２１の前縁には、図１，図５および図８に示すように、一対の締付片１４の水平部１６を上下方向（一対の締付片１４が対向する対向方向と直交する直交方向）両側から支持する変形抑制部２４が設けられている。
変形抑制部２４は、図１，図２，図５および図７に示すように、左右に並んだ水平部１６の前端縁部を前方から一括して包み込むように両水平部１６の上下方向両側を覆う形態とされており、変形抑制部２４の左右方向の長さ寸法は、左右に並んだ両水平部１６全体の左右方向の長さ寸法よりもやや短い寸法とされている。したがって、両水平部１６の上面のほぼ全体が変形抑制部２４によって覆われた状態となっている。
【００３１】
詳細には、変形抑制部２４は、図７および図１０に示すように、台座本体２１の前縁から端子本体１１の一対の締付片１４に向かって上方に延びた後壁部２５と、後壁部２５の上縁に連なるようにして水平部１６のやや下方の位置を水平部１６に沿って前方に延出された下側抑制部２６と、水平部１６の延出端部である前端部を前方から覆うように下側抑制部２６の前端縁から上方に立ち上がる前壁部２７と、前壁部２７の上縁から水平部１６の上面に沿って配された上側抑制部２８とを備えて構成されている。
【００３２】
上側抑制部２８は、図１および図１０に示すように、略矩形状平板状をなしており、上側抑制部２８には、締結ボルト４０が挿通されるボルト挿通孔２８Ａが設けられている。上側抑制部２８は、ボルト挿通孔２８Ａに締結ボルト４０を挿通させることで、図７から図９に示すように、水平部１６の上面に面接触した状態で配されている。
一方、下側抑制部２６は、図５に示すように、略矩形状平板状をなしており、下側抑制部２６の左右両側縁には、図８から図１０に示すように、上方に立ち上がる一対の支持突片２６Ａが設けられている。一対の支持突片２６Ａは、その上端面が水平部１６の下面に当接するようになっており、一対の支持突片２６Ａによって水平部１６を下方から支持している。
つまり、一対の締付片１４の水平部１６は、図８および図９に示すように、水平部１６よりも剛性の高い金属からなる変形抑制部２４の下側抑制部２６における一対の支持突片２６Ａと上側抑制部２８とよって上下両側から支持された構成とされている。
【００３３】
また、変形抑制部２４には、図４および図５に示すように、締結ナット４５が下方から嵌合可能な嵌合凹部２９が凹設されている。嵌合凹部２９は、下側抑制部２６を上下に貫通するようにして四角状に開口しており、その下端開口は、締結ナット４５の外形形状とほぼ同じ形状に形成されている。つまり、締結ナット４５が嵌合凹部２９内に適合して嵌合されるようになっている。
【００３４】
また、嵌合凹部２９の下端開口は、下側抑制部２６の前後方向における全長に亘って形成されており、嵌合凹部２９内に締結ナット４５が下方から嵌合されると、締結ナット４５は、図４，図７および図８に示すように、変形抑制部２４の前壁部２７、後壁部２５および下側抑制部２６の左右両側の側縁部２６Ｂによって四方を囲まれるようになっている。
【００３５】
本実施形態は、以上のような構成であって、続いて、バッテリ端子１０の作用および効果について説明する。
まず、バッテリ端子１０の組み立て手順について説明する。
端子本体１１の端子設置部１５の貫通孔１５ＡにスタッドボルトＳＢを下方から挿通させ、一対の締付片１４における水平部１６を変形抑制部２４における上側抑制部２８と下側抑制部２６との間に差し込みつつ、台座部２０に端子本体１１を上方から組み付ける。
【００３６】
ここで、変形抑制部２４における上側抑制部２８と下側抑制部２６との間に水平部１６が差し込まれると、両水平部１６の上面に上側抑制部２８が面接触すると共に、両水平部１６の下面が下側抑制部２６の一対の支持突片２６Ａによって下方から支持された状態となる。
【００３７】
次に、端子設置部１５の一対の係止片１５Ｂと台座部２０の端子保持部２２における一対の係止部２３とを上下方向に係止させ、台座部２０に端子本体１１を固定する。これにより、スタッドボルトＳＢが端子保持部２２と端子設置部１５とによって保持され、端子本体１１が台座部２０に固定される。
【００３８】
台座部２０と端子本体１１とを固定したところで、端子本体１１の一対の締付片１４にブラケット３０を上方から組み付ける。
この組み付け過程では、一対の締付片１４の被押圧片１８上に、ブラケット３０の一対の押圧部３２を配し、それぞれの押圧部３２が対応する被押圧片１８のガイド部１８Ａに前後から支持されることでブラケット３０が前後に傾かないように一対の締付片１４に組み付けられる。
【００３９】
最後に、締結ボルト４０を、上から順にブラケット３０の基部３１における挿通孔３１Ａ、変形抑制部２４の上側抑制部２８のボルト挿通孔２８Ａ、両水平部１６の逃がし凹部１７間の領域に挿通させて変形抑制部２４の嵌合凹部２９に下方から嵌合させた締結ナット４５に締め込む。これにより、バッテリ端子１０が完成する。
【００４０】
次に、上記のように構成されたバッテリ端子１０を、バッテリ本体ＢＴのバッテリポストＰに接続固定する手順について説明する。
まず、図６に示すように、台座部２０の台座本体２１におけるポスト挿通孔２１Ａと端子本体１１のポスト嵌合部１２におけるポスト装着孔１２ＡにバッテリポストＰを挿通させて台座本体２１とポスト嵌合部１２とをバッテリポストＰの外周に嵌合させる。これにより、台座本体２１がポスト設置部ＢＴ１の上面に設置され、バッテリポストＰにバッテリ端子１０が配置される。
【００４１】
次に、締結ボルト４０の軸部４２を締結ナット４５の締結孔４６に螺合させて締結ボルト４０を締結ナット４５に締め付ける。
この締付過程では、締結ナット４５が上方に向けて徐々に引き寄せられ、両水平部１６における互いに隣り合う内側縁部１６Ａが締結ナット４５により上方に向けて押圧される。すると、これに伴って、ブラケット３０の一対の押圧部３２が一対の締付片１４の被押圧片１８に左斜め上方および右斜め上方の左右両側から押しつけられるようにして締め付けられ、被押圧片１８と押圧部３２とが摺動することで、図９に示すように、両水平部１６が内側に向けて互いに近づくように変位する。これにより、ポスト嵌合部１２のポスト装着孔１２Ａが縮径し、ポスト嵌合部１２がバッテリポストＰの外周面に密着することで、端子本体１１がバッテリポストＰに接続固定される。
【００４２】
ところで、この締付過程において、両水平部１６の内側縁部１６Ａが締結ナット４５により上方に向けて押圧されると共に、一対の締付片１４の被押圧片１８がブラケット３０の一対の押圧部３２によって左斜め上方および右斜め上方の左右方向両側から押圧されると、両水平部１６には、互いの内側縁部１６Ａを上方に押し上げるような応力が働く。このため、両水平部１６に大きな力が作用すると、上方に向かって開くようにして捻れた不正な方向への変形が両水平部１６に生じ、ポスト嵌合部１２をバッテリポストＰに密着させることができなくなることが懸念される。
【００４３】
ところが、本実施形態によると、水平部１６の上方には、図８および図９に示すように、上側抑制部２８が両水平部１６の上面を覆い隠すようにして水平部１６の上面に接触して配され、下側抑制部２６の一対の支持突片２６Ａが水平部１６の下面を接触して配されることで、両水平部１６が、水平部１６よりも剛性の高い変形抑制部２４によって上下両側から挟み込まれるようにして支持されているから、両水平部１６が不正な方向に変形することを抑制することができる。
【００４４】
すなわち、両水平部１６を不正な方向に変形させることなく、内側に向けて互いに近づく方向にのみ変位させることができるから、ポスト嵌合部１２をバッテリポストＰの外周面にしっかりと密着させることができ、バッテリ端子１０とバッテリポストＰとの接続信頼性を確保することができる。
【００４５】
また、この締付過程では、締結ナット４５に対して締結ボルト４０を締め付ける際に、締結ボルト４０の回転に伴って締結ナット４５が回転することにより、締結ナット４５に対して締結ボルト４０を締め付けできなくなってしまうことが懸念される。
ところが、本実施形態によると、図４に示すように、締結ナット４５は変形抑制部２４に設けられた嵌合凹部２９に下方から適合して嵌合され、締結ナット４５が変形抑制部２４の前壁部２７、後壁部２５、下側抑制部２６の左右の両側縁部２６Ｂによって四方から支持されるから、締結ナット４５が締結ボルト４０の回転に伴って回転することを防ぐことができる。
【００４６】
つまり、締結ナット４５を嵌合させる嵌合凹部２９を変形抑制部２４に凹設するだけで、締結ナット４５を回り止めできるから、締結ナット４５の回り止めをする回り止め部材をバッテリ端子に対して別途組み付ける必要がなく、バッテリ端子１０が複雑化することを防ぐことができる。
また、端子本体１１よりも剛性の高い台座部２０の変形抑制部２４に嵌合凹部２９を設け、前壁部２７と後壁部２５と下側抑制部２６の左右の両側縁部２６Ｂとによって四方から締結ナット４５を支持しているから、締結ナット４５が回転することを確実に防ぐことができると共に、嵌合凹部２９の一部の壁部のみに力が集中して変形抑制部２４が変形することを防ぐことができる。
【００４７】
以上のように、本実施形態によると、端子本体１１よりも剛性の高い台座本体２１の前端縁に変形抑制部２４を設け、この変形抑制部２４によって一対の締付片１４の水平部１６を上下両側から挟み付けるようにして支持しているから、ブラケット３０による一対の締付片１４の締め付けに伴って水平部１６が不正な方向に変形することを抑制することができる。これにより、両水平部１６を不正な方向に変形させることなく、互いに近づく方向にのみ変位させ、バッテリポストＰの外周面にポスト嵌合部１２をしっかりと密着させることで、バッテリ端子１０とバッテリポストＰとの接続信頼性を確保することができる。
【００４８】
また、本実施形態によると、端子本体１１を保持する台座本体２１の前端縁に変形抑制部２４を一体に設けているから、例えば、台座部とは別体に設けられた変形抑制部を水平部に組み付ける場合に比べて、水平部１６に対する変形抑制部２４の位置決め精度を高めつつ、水平部１６を確実に上下方向から支持することができる。これにより、上下方向に対して傾いた斜め方向から水平部１６を支持することを防ぎ、水平部１６が不正な方向に変形することを確実に抑制することができる。
【００４９】
さらに、水平部１６の変形を抑制する剛性の高い変形抑制部２４に嵌合凹部２９を設け、この嵌合凹部２９に締結ナット４５を嵌合させるだけで、締結ナット４５の回り止めを行うことができるから、例えば、別途回り止め部を組み付けることで部品点数が増加したり、端子本体に嵌合凹部を設けることで端子本体が変形したりすることを抑制できる。
【００５０】
＜他の実施形態＞
本明細書で開示される技術は上記記述及び図面によって説明した実施形態に限定されるものではなく、例えば次のような種々の態様も含まれる。
（１）上記実施形態では、変形抑制部２４の上側抑制部２８と下側抑制部２６の一対の支持突片２６Ａとによって水平部１６を上下両側から支持する構成にした。しかしながら、これに限らず、上側抑制部によってのみ水平部１６が支持される構成にしてもよい。
（２）上記実施形態では、台座本体２１の前端縁に変形抑制部２４を構成した。しかしながら、これに限らず、台座部とは別体のクリップ状の変形抑制部を形成し、クリップ状の変形抑制部によって水平部１６を上下両側から挟み込んで支持するに構成してもよい。
（３）上記実施形態では、変形抑制部２４が設けられた台座部２０を、端子本体１１よりも剛性の高い金属によって構成した。しかしながら、これに限らず、台座部の板厚を厚くするなどして端子本体と同一の金属によって台座部および変形抑制部を構成してもよい。
（４）上記実施形態では、締結ナット４５を四角ナットとして構成し、嵌合凹部２９を四角状に開口して構成した。しかしながら、これに限らず、締結ナットに六角ナットを用いて、嵌合凹部を六角状に開口して構成してもよい。
（５）上記実施形態では、嵌合凹部２９に嵌合させた締結ナット４５に対して締結ボルト４０を締め付ける構成とした。しかしながら、これに限らず、嵌合凹部に嵌合させた締結ボルトに締結ナットを締め付ける構成としてもよい。
【符号の説明】
【００５１】
１０：バッテリ端子
１２：ポスト嵌合部
１４：締付片（締付部）
２４：変形抑制部
２９：嵌合凹部
３０：ブラケット（締付部材）
４０：締結ボルト
４５：締結ナット
ＢＴ：バッテリ本体
Ｐ：バッテリポスト
【図１】
2016100098.tif 000003
【図２】
2016100098.tif 000004
【図３】
2016100098.tif 000005
【図４】
2016100098.tif 000006
【図５】
2016100098.tif 000007
【図６】
2016100098.tif 000008
【図７】
2016100098.tif 000009
【図８】
2016100098.tif 000010
【図９】
2016100098.tif 000011
【図１０】
2016100098.tif 000012